(57)【要約】      （修正有）【課題】マルチトリガ機能のスイッチを提供する。【解決手段】その上にボタン１１を有するタッチ式スイッチ１０と、センサエリア２１を有し、タッチ式スイッチ１０の表面に位置する第１センサ２０と、タッチ式スイッチ１０及び第１センサ２０に接続するマイクロコントローラ３０と、を含み、物体がボタン１１を押す時、タッチ式スイッチ１０がオンにされ、マイクロコントローラ３０がタッチ式スイッチ１０の対応する動作を行い、被制御装置４０を駆動し、又は、物体がセンサエリア２１に入る時、第１センサ２０が信号の変化をセンシングする時、マイクロコントローラ３０は、信号の変化に基づき、タッチ式スイッチ１０をオンにするか、タッチ式スイッチ１０のオンと同等の信号であり、その対応する動作を行い、被制御装置４０を駆動する。【選択図】図１
0003195894.tif 000002
【実用新案登録請求の範囲】
【請求項１】
その上にボタンを有するタッチ式スイッチと、
第１センサであって、センサエリアを有し、該タッチ式スイッチは、該センサエリア内に設置されるか、該第１センサが該タッチ式スイッチの表面に位置する第１センサと、
該タッチ式スイッチ及び該第１センサに接続するマイクロコントローラと、
該マイクロコントローラに接続し、且つ該タッチ式スイッチの一側に設置され、該マイクロコントローラの制御を受けることができ、該タッチ式スイッチを駆動し、それをオンにするか、又は、該駆動装置が該タッチ式スイッチを押すのと同一の信号を発生する駆動装置と、
一端が該マイクロコントローラに接続し、他端が該タッチ式スイッチと直列するスイッチングユニットと、
を含み、
該スイッチングユニットがオンになり、且つ物体が該ボタンを押す時、該タッチ式スイッチがオンにされ、該マイクロコントローラが該タッチ式スイッチの対応する動作を行い、被制御装置を駆動し、又は、該物体が該センサエリアに入る時、該第１センサが信号の変化をセンシングする時、該マイクロコントローラは、該信号の変化に基づき、該タッチ式スイッチをオンにするか、該マイクロコントローラがタッチ式スイッチのオンと同じ信号を発生し、その対応する動作を行い、被制御装置を駆動するか、又は、
該マイクロコントローラが外部命令を受け取り、該スイッチングユニットの状態をオープンにする時、該タッチ式スイッチ及びそのボタンがイネーブルにされるマルチトリガ機能のスイッチ。
【請求項２】
前記第１センサは、光センサ、容量式センサ、磁性センサ、イメージセンサ又は無線電波センサであり、該物体は、手指又は非透明な物体である請求項１に記載のマルチトリガ機能のスイッチ。
【請求項３】
更に、第２センサエリアを有し且つ該マイクロコントローラに接続する第２センサを有し、該タッチ式スイッチは、該第２センサエリア中に置かれ、該第１センサ及び該第２センサの間のセンサエリアの何れも信号の変化をセンシングさせることができ、そのうち、該第２センサは、該第１センサと同一であるか、異なる請求項２に記載のマルチトリガ機能のスイッチ。
【請求項４】
前記駆動装置は、モータであり、該駆動装置は、継電器又はトランジスタであり、該スイッチングユニットは、継電器である請求項１に記載のマルチトリガ機能のスイッチ。
【考案の詳細な説明】
【技術分野】
【０００１】
本考案は、マルチトリガ機能のスイッチに関し、特に、使用者がスイッチにタッチするか、タッチする必要がないかの何れもスイッチを押下する目的を達成することができるマルチトリガ機能のスイッチに関する。
【背景技術】
【０００２】
一般のスイッチ、特に、エレベーターのボタンは、何れもタッチ式スイッチであり、使用者は、先ず手指又はその他の物体、例えば、ペンで到達したい階層を押す必要があり、その後、エレベーターが起動する。但し、特定場所のエレベーター、例えば、病院のエレベーターは、安全管理の目的により、感染事件の発生を防止する為、ヘルスケアスタッフが手袋をはめた時にエレベーターのボタンを押すことは厳禁である。従って、ヘルスケアスタッフがエレベーターに乗る時、先ず手袋を外してエレベーターのボタンを押す必要があり、不便であり、改善の余地がある。
【０００３】
上記周知のタッチ式スイッチの欠点に対し、本考案は、マルチトリガ機能のスイッチを提供し、上記欠陥を改善している。
【先行技術文献】
【特許文献】
【０００４】
【特許文献１】特開２００８−１６１４０８号公報
【考案の概要】
【考案が解決しようとする課題】
【０００５】
本考案の目的は、使用者が実際のスイッチにタッチするか、タッチする必要がないかの何れもスイッチを押す目的を達成することができるマルチトリガ機能のスイッチを提供することである。
【０００６】
本考案の目的は、少なくとも１つのセンサを有し、そのセンサエリアを増大させ、使用者の操作を更に容易にさせるマルチトリガ機能のスイッチを提供することである。
【課題を解決するための手段】
【０００７】
上記目的を達成する為、本考案のマルチトリガ機能のスイッチは、その上にボタンを有するタッチ式スイッチと、第１センサであって、センサエリアを有し、該タッチ式スイッチは、該センサエリア内に設置されるか、該センサが該タッチ式スイッチの表面に位置する第１センサと、該タッチ式スイッチ及び該第１センサに接続するマイクロコントローラと、を含み、物体が該ボタンを押す時、該タッチ式スイッチがオンにされ、該マイクロコントローラが該タッチ式スイッチの対応する動作を行い、被制御装置を駆動し、又は、該物体が該センサエリアに入る時、該第１センサが信号の変化をセンシングする時、該マイクロコントローラは、該信号の変化に基づき、該タッチ式スイッチをオンにし、その対応する動作を行い、被制御装置を駆動する。
【考案の効果】
【０００８】
本考案のマルチトリガ機能のスイッチは、その上にボタンを有するタッチ式スイッチと、第１センサであって、センサエリアを有し、該センサが該タッチ式スイッチの表面に位置する第１センサと、該タッチ式スイッチ及び該第１センサに接続するマイクロコントローラと、を含み、物体が該ボタンを押す時、該タッチ式スイッチがオンにされ、該マイクロコントローラが該タッチ式スイッチの対応する動作を行い、被制御装置を駆動し、又は、該物体が該センサエリアに入る時、該第１センサが信号の変化をセンシングする時、該マイクロコントローラは、該信号の変化に基づき、該タッチ式スイッチをオンにするか、該タッチ式スイッチのオンと同等の信号であり、その対応する動作を行い、被制御装置を駆動する。
【図面の簡単な説明】
【０００９】
【図１】本考案の好適実施例のマルチトリガ機能のスイッチを示すブロック説明図である。
【図２】本考案のもう１つの好適実施例のマルチトリガ機能のスイッチを示すブロック説明図である。
【図３ａ】本考案のもう１つの好適実施例のマルチトリガ機能のスイッチが更に駆動装置を有することを示すブロック説明図である。
【図３ｂ】本考案の駆動装置が該接触式スイッチ１０と並列できることを示すブロック説明図である。
【図４】本考案のもう１つの好適実施例のマルチトリガ機能のスイッチが更にスイッチングユニットを有することを示すブロック説明図である。
【考案を実施するための形態】
【００１０】
本考案の構造、特徴及びその目的を理解し易くする為、図面及び好適具体実施例により詳細を説明する。
【００１１】
図１を参照し、それは、本考案の好適実施例のマルチトリガ機能のスイッチのブロック説明図である。
【００１２】
図に示すように、本考案のマルチトリガ機能のスイッチは、タッチ式スイッチ１０と、第１センサ２０と、マイクロコントローラ３０と、が組み合わさってなるものを含む。
【００１３】
そのうち、該タッチ式スイッチ１０は、一般のスイッチであり、これに限定するものではないが、例えば、エレベーターのスイッチであり、その上にボタン１１を有し、該ボタン１１が押される時、該タッチ式スイッチ１０をオン状態にさせることができる。
【００１４】
該第１センサ２０は、センサエリア２１を有し、該タッチ式スイッチ１０は、該センサエリア２１を有し、該タッチ式スイッチ１０は、該センサエリア２１内に設置されるが、該第１センサは、該タッチ式スイッチ１０の表面上に設置される。該第１センサ２０は、これに限定するものではないが、光センサ、容量式センサ、磁性センサ、イメージセンサ又は無線電波センサであり、それが光センサである時、光線、これに限定するものではないが、例えば、可視光又は赤外線を受けることができ、該光線の供給元が該第１センサ１０の対向側に位置する。それが容量式センサである時、センサ電圧を受けることができ、該センサ電圧は、物体であり、これに限定するものではないが、例えば、手指又は非透明な物体が該容量式センサ２０に接近する時、該容量式センサ２０上にセンシングされる電圧を受けることができる。説明に便利である為、以下は、光センサを例として説明するが、これに限定するものではない。該物体が該第１センサ２０のセンサエリア２１に入る時、光線を遮断し、該第１センサ１０上に光度の変化をセンシングし、信号を該マイクロコントローラ３０に発生する。
【００１５】
該マイクロコントローラ３０は、該第１センサ２０に接続し、それは、若干の入力/出力ポート（図示せず）を有し、該第１センサ２０に接続する。また、該マイクロコントローラ３０は、該タッチ式スイッチ１０の対応する動作を行うことができ、被制御装置４０を駆動し、そのうち、該被制御装置４０は、これに限定するものではないが、例えば、エレベーター、公衆電話、給水器又はＡＴＭであり、本実施例では、エレベーターを例として説明するが、これに限定するものではない。
【００１６】
図２を参照し、それは、本考案のもう１つの好適実施例のスイッチのブロック説明図である。図に示すように、本考案のマルチトリガ機能のスイッチは、更に、第２センサ５０を有し、それは、第２センサエリア５１を有し、且つ該マイクロコントローラ３０  に接続し、該タッチ式センサ１０は、該第２センサエリア５１中に設置され、該第１センサ１０及び該第２センサ２０の間のセンサエリア２１，５１の何れにも信号の変化をセンシングさせることができる。そのうち、該第２センサ５０、これに限定するものではないが、例えば、例えば、光センサ、容量式センサ、磁性センサ、イメージセンサ又は無線電波センサであり、該第２センサ５０及び該第１センサ２０は、同一又は異なるセンサであることができ、例えば、両者は、何れも光センサであることができ、両者は、何れも容量式センサであるか、１つが光センサであり、もう１つは、容量式センサである。
【００１７】
図３ａ及び図３ｂを併せて参照し、そのうち、図３ａは、本考案のもう１つの好適実施例のマルチトリガ機能のスイッチが更に駆動装置を有することを示すブロック説明図であり、図３ｂは、本考案の駆動装置が該タッチ式スイッチ１０と並列することができることを示すブロック説明図である。図３ａに示すように、本考案のマルチトリガ機能のスイッチは、更に駆動装置６０を有し、且つ該駆動装置６０は、好ましくは、モータであり、該駆動装置６０は、該マイクロコントローラ３０に接続し、且つ該タッチ式スイッチ１０の一側に設置され、該マイクロコントローラ３０の制御を受けることができ、該タッチ式スイッチ１０を駆動し、該ボタン１１を押下し、それをオンにさせる。
【００１８】
図３ｂに示すように、本考案の駆動装置６０は、継電器又はトランジスタであることができ、それは、該マイクロコントローラ３０に接続する制御ピンを有し、他の２つのピンは、該ボタン１１と並列し、該制御ピンは、該マイクロコントローラ３０の制御を受けることができ、該継電器６０をオンにさせ、該タッチ式スイッチ１０を押下するのと同一の信号を発生する。
【００１９】
使用時、第１センサ２０を該タッチ式スイッチ１０に設置することができ、これに限定するものではないが、例えば、エレベーターのスイッチの上方左側に設置し、第２センサ５０を該タッチ式スイッチ１０の上方右側に設置し、物体（これに限定するものではないが、例えば、使用者の手指又は非透明な物体）が該ボタン１１を直接押す時、該タッチ式スイッチ１０は、オンにされ、該マイクロコントローラ３０は、該タッチ式スイッチ１０の対応する動作を実行し、該被制御装置４０、例えば、エレベーターを駆動し、それに該マイクロコントローラ３０の制御を受けさせて上昇又は下降させる。又は、該物体が該センサエリア２１に入る時、該第１センサ２０及び該第２センサ５０は、信号の変化をセンシングし、該マイクロコントローラ３０が該信号の変化に基づき該タッチ式スイッチ１０をオンにし、その対応する動作を行い、該被制御装置４０、例えば、エレベーターを駆動し、それに該マイクロコントローラ３０の制御を受けさせて上方又は下降させ、このように、実質的に該タッチ式スイッチ１０を押す目的を達成することができる。従って、本考案のマルチトリガ機能のスイッチは、使用者に実際のスイッチにタッチするか、タッチする必要ないかの何れもスイッチを押す目的を達成させることができ、従来のタッチ式スイッチの欠陥を改善する。
【００２０】
図４を参照し、それは、本考案のもう１つの好適実施例のマルチトリガ機能のスイッチが更にスイッチングユニットを有することを示すブロック説明図である。図４に示すように、本考案のマルチトリガ機能のスイッチは、更にスイッチングユニット７０を有し、その一端は、該マイクロコントローラ３０の制御ピン（図示せず）に接続し、他端は、該タッチ式スイッチ１０に直列接続し、そのうち、該スイッチングユニット７０は、これに限定するものではないが、例えば、ノーマルクローズ（normal close, NC）継電器であり、該マイクロコントローラ３０の命令によって、該スイッチングユニット７０をノーマルクローズ(normal close, NC)又はノーマルオープン(normal open, NO)にさせる。
【００２１】
該スイッチングユニット７０がオンになり、且つ物体が該ボタン１１を押す時、該タッチ式スイッチ１０は、オンとなり、該マイクロコントローラ３０は、該タッチ式スイッチ１０の対応する動作を行い、該被制御装置４０を駆動する。又は、該物体が該センサエリア２１に入る時、該第１センサ２０が信号の変化をセンシングし、該マイクロコントローラ３０は、該信号の変化に基づき、該タッチ式スイッチ１０をオンにするか、該マイクロコントローラ３０が該タッチ式スイッチ１０のオンと同等の信号を発生し、その対応する動作を行い、該被制御装置４０を駆動する。又は、該マイクロコントローラ３０が外部の命令を受け取り、該スイッチングユニット７０の状態をオープンに変化させる時、該タッチ式スイッチ１０及びそのボタン１１は、イネーブルにされる。
【００２２】
上記のように、本考案のマルチトリガ機能のスイッチの実施により、使用者に実際のスイッチにタッチするか、タッチする必要がないかの何れもスイッチを押す目的を達成させることができる利点を有し、従って、本考案は、確かに従来のタッチ式スイッチに比較して進歩性を有する。
【００２３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２４】
１０  接触式スイッチ
１１  ボタン
２０  第１センサ
２１  センサエリア
３０  マイクロコントローラ
４０  被制御装置
５０  第２センサ
５１  第２センサエリア
６０  駆動装置
７０  スイッチングユニット
【図１】
0003195894.tif 000003
【図２】
0003195894.tif 000004
【図３ａ】
0003195894.tif 000005
【図３ｂ】
0003195894.tif 000006
【図４】
0003195894.tif 000007
【手続補正書】
【提出日】平成26年11月19日(2014.11.19)
【手続補正１】
【補正対象書類名】実用新案登録請求の範囲
【補正対象項目名】請求項４
【補正方法】変更
【補正の内容】
【請求項４】
前記駆動装置は、モータ、継電器又はトランジスタであり、該スイッチングユニットは、継電器である請求項１に記載のマルチトリガ機能のスイッチ。